(57)【要約】  本開示のある特定の態様は、変調コーディングスキーム（ＭＣＳ）を選択するための技法に関する。いくつかの態様では、ＭＣＳは、電子デバイスの特性および送信機のＭＣＳに基づいて選択される。いくつかの態様では、ＭＣＳは、アクセスポイントとユーザ端末との間の電力インバランスに基づいて選択される。【選択図】図１
2015526039.tif 000002
【特許請求の範囲】
【請求項１】
電子デバイスによってワイヤレスネットワークにおいて通信するための方法であって、
送信機から、第１の変調コーディングスキームを識別するデータを受信することと、
前記第１の変調コーディングスキームを含む前記電子デバイスの特性に基づいて第２の変調コーディングスキームを選択することと、ここで前記第２の変調コーディングスキームを識別する情報は、前記第１の変調コーディングスキームよりも所定の数量低く、
前記第２の変調コーディングスキームを識別するデータを送信することと、
を備える、方法。
【請求項２】
第１の変調コーディングスキームを識別するデータを受信することは、
アソシエーションの時間に、フィールド要素で前記送信機の送信電力の指示を受信すること、を備え、
前記所定の数量は、前記送信機の前記指示された送信電力と前記電子デバイスの送信電力との間の差の関数である、請求項１に記載の方法。
【請求項３】
前記電子デバイスは、前記送信機から前記所定の数量を受信する、請求項１に記載の方法。
【請求項４】
前記電子デバイスは、アソシエーション要求フレームで前記所定の数量を受信する、請求項３に記載の方法。
【請求項５】
前記電子デバイスは、アソシエーションの後に送られる管理フレームで、前記所定の数量を受信する、請求項３に記載の方法。
【請求項６】
前記電子デバイスは、前記所定の数量を与える、請求項１に記載の方法。
【請求項７】
前記第２の変調コーディングスキームは、所定の数量を超えない、請求項１に記載の方法。
【請求項８】
前記所定の数量は、データレートまたは変調コードスキーム順序である、請求項７に記載の方法。
【請求項９】
第１の変調コーディングスキームを識別するデータを受信することは、アソシエーションの時間に、フィールド要素で前記送信機の送信電力の指示を受信することを備え、
前記所定の数量は、前記送信機の前記指示された送信電力と前記電子デバイスの送信電力との間の差の関数である、請求項１に記載の方法。
【請求項１０】
前記第２の変調コーディングスキームを選択することは、
前記送信機と前記電子デバイスとの間の電力インバランスを決定することと、
前記決定された電力インバランスに基づいて、前記電子デバイスのための許容可能な変調コーディングスキームを決定することと、
前記ワイヤレスデバイスのために前記許容可能な変調コーディングスキームを選択することと、
を備える、請求項１に記載の方法。
【請求項１１】
許容可能な変調コーディングスキームのセットを識別するデータを受信することをさらに備える、請求項１に記載の方法。
【請求項１２】
前記許容可能な変調コーディングスキームのセットは、決定された送信電力インバランスに基づく、請求項１１に記載の方法。
【請求項１３】
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、請求項１に記載の方法。
【請求項１４】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、請求項１に記載の方法。
【請求項１５】
電子デバイスによってワイヤレスネットワークにおいて通信するための装置であって、
第１の変調コーディングスキームを識別するデータを受信するように構成されたトランシーバと、
前記第１の変調コーディングスキームを含む前記電子デバイスの特性に基づいて第２の変調コーディングスキームを選択するように構成された処理システムと、ここで前記第２の変調コーディングスキームを識別する情報は、前記第１の変調コーディングスキームよりも所定の数量低い、
を備え、
前記トランシーバは、前記第２の変調コーディングスキームを識別するデータを送信および／または受信するように構成される、装置。
【請求項１６】
前記トランシーバは、送信電力の指示を受信するようにさらに構成され、
前記処理システムは、前記所定の数量を、前記トランシーバの前記指示された送信電力と前記電子デバイスの送信電力との間の差の関数として決定するようにさらに構成される、請求項１５に記載の装置。
【請求項１７】
前記電子デバイスは、前記トランシーバから前記所定の数量を受信するように構成される、請求項１５に記載の装置。
【請求項１８】
前記電子デバイスは、アソシエーション要求フレームで前記所定の数量を受信するように構成される、請求項１７に記載の装置。
【請求項１９】
前記電子デバイスは、アソシエーションの後に伝送される管理フレームで、前記所定の数量を受け取るように構成される、請求項１７に記載の装置。
【請求項２０】
前記電子デバイスは、前記所定の数量を与えるように構成される、請求項１５に記載の装置。
【請求項２１】
前記第２の変調コーディングスキームは、所定の数量を超えない、請求項１５に記載の装置。
【請求項２２】
前記所定の数量は、データレートまたは変調コードスキーム順序である、請求項２１に記載の装置。
【請求項２３】
前記トランシーバは、アソシエーションの時間に、フィールド要素において送信機の送信電力の指示を受信するようにさらに構成され、
前記処理システムは、前記所定の数量を、前記トランシーバの前記指示された送信電力と前記電子デバイスの送信電力との間の差の関数として決定するようにさらに構成される、
請求項１５に記載の装置。
【請求項２４】
プロセッサは、
前記トランシーバと前記電子デバイスとの間の電力インバランスを決定し、
前記電力インバランスに基づいて、前記電子デバイスのための許容可能な変調コーディングスキームを決定し、
前記電子デバイスのために前記許容可能な変調コーディングスキームを選択する、
ようにさらに構成される、請求項１５に記載の装置。
【請求項２５】
前記トランシーバは、許容可能な変調コーディングスキームのセットを識別するデータを受信するように構成される、請求項２４に記載の装置。
【請求項２６】
前記許容可能な変調コーディングスキームのセットは、決定された送信電力インバランスに基づく、請求項２５に記載の装置。
【請求項２７】
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、請求項１５に記載の装置。
【請求項２８】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、請求項１５に記載の装置。
【請求項２９】
電子デバイスによってワイヤレスネットワークにおいて通信するための装置であって、
送信機から、第１の変調コーディングスキームを識別するデータを受信するための手段と、
前記第１の変調コーディングスキームを含む前記電子デバイスの特性に基づいて第２の変調コーディングスキームを選択するための手段と、ここで前記第２の変調コーディングを識別する情報は、前記第１の変調コーディングスキームよりも所定の数量低い、
前記第２の変調コーディングスキームを使用して通信するための手段と、
を備える、装置。
【請求項３０】
アソシエーションの時間に、フィールド要素において前記送信機の送信電力の指示を受信するための手段をさらに備える、請求項２９に記載の装置。
【請求項３１】
前記電子デバイスは、前記送信機から前記所定の数量を受信する、請求項２９に記載の装置。
【請求項３２】
前記電子デバイスは、アソシエーション要求フレームで前記所定の数量を受け取る、請求項３１に記載の装置。
【請求項３３】
前記電子デバイスは、アソシエーションの後に伝送される管理フレームで、前記所定の数量を受信する、請求項３１に記載の装置。
【請求項３４】
前記電子デバイスは、前記所定の数量を与える、請求項２９に記載の装置。
【請求項３５】
前記第２の変調コーディングスキームは、前記所定の数量を超えない、請求項２９に記載の装置。
【請求項３６】
前記所定の数量は、データレートまたは変調コードスキーム順序である、請求項２９に記載の装置。
【請求項３７】
第１の変調コーディングスキームを識別するデータを受信するための手段は、アソシエーションの時間に、フィールド要素で前記送信機の送信電力の指示を受信することを備え、
前記所定の数量は、前記送信機の前記指示された送信電力と前記電子デバイスの送信電力との間の差の関数である、請求項２９に記載の装置。
【請求項３８】
前記第２の変調コーディングスキームを選択するための手段は、
前記送信機と前記電子デバイスとの間の電力インバランスを決定することと、
前記決定された電力インバランスに基づいて、前記電子デバイスのための許容可能な変調コーディングスキームを決定することと、
ワイヤレスデバイスのために前記許容可能な変調コーディングスキームを選択することと、
を備える、請求項２９に記載の装置。
【請求項３９】
許容可能な変調コーディングスキームのセットを識別するデータを受信するための手段をさらに備える、請求項２９に記載の装置。
【請求項４０】
前記許容可能な変調コーディングスキームのセットは、決定された送信電力インバランスに基づく、請求項３９に記載の装置。
【請求項４１】
前記電子デバイスの前記特性は、前記電子デバイスのタイプをさらに含み、前記タイプは、前記電子デバイスがアクセスポイントまたはユーザ端末として通信ネットワークにおいて機能するかどうかに基づく、請求項２９に記載の装置。
【請求項４２】
前記電子デバイスの前記特性は、前記電子デバイスのタイプをさらに含み、前記タイプは、前記電子デバイスがアクセスポイントに対するユーザ端末として、または別のユーザ端末に対するユーザ端末として、通信ネットワークにおいて通信するかどうかに基づく、請求項２９に記載の装置。
【請求項４３】
コードを備える非一時的なコンピュータ可読媒体であって、前記コードは、実行される、装置に、
送信機から、第１の変調コーディングスキームを識別するデータを受信することと、
前記第１の変調コーディングスキームを含む電子デバイスの特性に基づいて第２の変調コーディングスキームを選択することと、ここで前記第２の変調コーディングスキームを識別する情報は、前記第１の変調コーディングスキームよりも所定の数量低く、
前記第２の変調コーディングスキームを識別するデータを送信することと、
を行わせる、非一時的なコンピュータ可読媒体。
【発明の詳細な説明】
【技術分野】
【０００１】
本開示のある特定の態様は概して、ワイヤレス通信に関し、より具体的には、ワイヤレス通信ネットワークにおいてデバイスによってサポートされる変調コーディングスキーム（ＭＣＳ）のセットを通信するためのシステムおよび方法に関する。
【背景技術】
【０００２】
[0002]  ワイヤレス通信システムのために求められる、増加する帯域幅要件の課題に対処するために、複数のユーザ端末が、高いデータスループットを達成しながらチャネルリソースを共有することによって単一のアクセスポイントと通信することを可能にするために、異なる複数のスキームが開発されている。多入力多出力（ＭＩＭＯ）技術は、次世代通信システムのための一般的な一技法として近年出現してきた、このようなアプローチの１つに相当する。ＭＩＭＯ技術は、米国電子電気学会（ＩＥＥＥ）８０２．１１規格のようないくつかの新興のワイヤレス通信規格で採用されてきている。ＩＥＥＥ８０２．１１は、短距離通信（例えば、数十メートルから数百メートルまで）用にＩＥＥＥ８０２．１１委員会によって開発されたワイヤレスローカルエリアネットワーク（ＷＬＡＮ）のエアインタフェース規格のセットを指す。
【０００３】
[0003]  ＭＩＭＯシステムは、データ送信のために、複数（ＮＴ）個の送信アンテナ、および複数（ＮＲ）個の受信アンテナを用いる。ＮＴ個の送信アンテナおよびＮＲ個の受信アンテナによって形成されたＭＩＭＯチャネルは、空間チャネルとも称されるＮＳ個の独立チャネルに分解され得、ここにおいて、ＮＳ≦ｍｉｎ｛ＮＴ，ＮＲ｝である。ＮＳ個の独立チャネルの各々は、一次元に対応する。ＭＩＭＯシステムは、複数の送信および受信アンテナにより生成される追加の次元が利用される場合に、改善された性能（例えば、より高いスループットおよび／またはより大きな信頼性）を提供することができる。
【０００４】
[0004]  単一のアクセスポイント（ＡＰ）および複数のユーザ局（ＳＴＡ）を有するワイヤレスネットワークでは、アップリンク方向およびダウンリンク方向の両方で、異なる局に向けて、複数のチャネル上で、並行送信が生じうる。ＩＥＥＥ８０２．１１ａｈ規格を用いるワイヤレスネットワークでは、ＡＰおよびＳＴＡは、異なる送信電力能力を有することができる。このようなシステムには、多くの課題が存在する。
【発明の概要】
【０００５】
[0005]  本開示のいくつかの態様は、電子デバイスによってワイヤレスネットワークにおいて通信するための方法を含み、その方法は、送信機から第１の変調スキームを識別するデータを受信することと、電子デバイスの特性および第１の変調コーディングスキームに基づいて第２の変調コーディングスキームを選択することと、選択された第２の変調コーディングスキームを識別するデータを送信することと、を備える。
【０００６】
[0006]  いくつかの態様では、第２の変調コーディングスキームは、第１の変調コーディングスキームよりも所定の数量低い。
【０００７】
[0007]  いくつかの態様では、第１の変調スキームを識別するデータを受信することは、アソシエーションの時間に、フィールド要素で送信機の送信電力の指示を受信することを備え、当該所定の数量は、送信機の指示された送信電力と電子デバイスの送信電力との間の差の関数である。
【０００８】
[0008]  いくつかの態様では、電子デバイスは、送信機から当該所定の数量を受け取る。
【０００９】
[0009]  いくつかの態様では、電子デバイスは、アソシエーション要求フレームにおいて所定の数量を受け取る。
【００１０】
[0010]  いくつかの態様では、電子デバイスは、アソシエーションの後に伝送される管理フレームにおいて当該所定の数量を受け取る。
【００１１】
[0011]  いくつかの態様では、電子デバイスは、当該所定の数量を与える。
【００１２】
[0012]  いくつかの態様では、第２の変調コーディングスキームは、所定の数量を超えない。
【００１３】
[0013]  いくつかの態様では、当該所定の数量は、データレートまたは変調コードスキーム順序である。
【００１４】
[0014]  いくつかの態様では、第１の変調スキームを識別するデータを受信することは、アソシエーションの時間にフィールド要素で送信機の送信電力の指示を受信することを備え、当該所定の量は、送信機の指示された送信電力と電子デバイスの送信電力との間の差の関数である。
【００１５】
[0015]  いくつかの態様では、電子デバイスは、送信機から当該所定の数量を受け取る。
【００１６】
[0016]  いくつかの態様では、電子デバイスは、アソシエーション要求フレームにおいて当該所定の数量を受け取る。
【００１７】
[0017]  いくつかの態様では、電子デバイスは、アソシエーションの後に伝送される管理フレームにおいて当該所定の数量を受け取る。
【００１８】
[0018]  いくつかの態様では、電子デバイスは、当該所定の数量を与える。
【００１９】
[0019]  いくつかの態様では、第２の変調コーディングスキームを選択することは、送信機と電子デバイスと間の電力インバランスを決定することと、決定された電力インバランスに基づいて電子デバイスのための許容可能な変調コーディングスキームを決定することと、第２の送信機のための許容可能な変調スキームを選択することと、を備える。
【００２０】
[0020]  本開示のいくつかの態様は、第１の変調コーディングスキームを識別するデータを受信するように構成されたトランシーバと、電子デバイスの特性および第１の変調コーディングスキームに基づいて第２の変調コーディングスキームを選択するように構成された処理システムとを備える電子デバイスによってワイヤレスネットワークにおいて通信するための装置を含み、ここにおいてトランシーバは、選択された変調コーディングスキームを識別するデータを送信および／または受信するように構成される。
【００２１】
[0021]  いくつかの態様では、第２の変調コーディングスキームは、第１の変調コーディングスキームよりも所定の数量低い。
【００２２】
[0022]  いくつかの態様では、トランシーバは、送信電力の指示を受信するようにさらに構成される。処理システムは、送信機の指示された送信電力と電子デバイスの送信電力との間の差の関数として当該所定の数量を決定するようにさらに構成される。
【００２３】
[0023]  いくつかの態様では、電子デバイスは、送信機から当該所定の数量を受け取るように構成される。
【００２４】
[0024]  いくつかの態様では、電子デバイスは、アソシエーション要求フレームにおいて当該所定の数量を受け取るように構成される。
【００２５】
[0025]  いくつかの態様では、電子デバイスは、アソシエーションの後に伝送される管理フレームにおいて当該所定の数量を受け取るように構成される。
【００２６】
[0026]  いくつかの態様では、電子デバイスは、当該所定の数量を与えるように構成される。
【００２７】
[0027]  いくつかの態様では、第２の変調コーディングスキームは、所定の数量を超えない。
【００２８】
[0028]  いくつかの態様では、当該所定の数量は、データレートまたは変調コードスキーム順序である。
【００２９】
[0029]  いくつかの態様では、トランシーバは、アソシエーションの時間にフィールド要素で送信機の送信電力の指示を受信するようにさらに構成される。処理システムは、送信機の指示された送信電力と電子デバイスの送信電力との間の差の関数として当該所定の数量を決定するようにさらに構成される。
【００３０】
[0030]  いくつかの態様では、電子デバイスは、送信機から当該所定の数量を受け取る。
【００３１】
[0031]  いくつかの態様では、電子デバイスは、アソシエーション要求フレームにおいて当該所定の数量を受け取るように構成される。
【００３２】
[0032]  いくつかの態様では、電子デバイスは、アソシエーションの後に伝送される管理フレームにおいて当該所定の数量を受け取るように構成される。
【００３３】
[0033]  いくつかの態様では、電子デバイスは、所定の数量を与えるように構成される。
【００３４】
[0034]  いくつかの態様では、プロセッサは、送信機と電子デバイスと間の電力インバランスを決定し、電力インバランスに基づいて第２の送信機のための許容可能な変調コーディングスキームを決定し、電子デバイスのための許容可能な変調スキームを選択する、ようにさらに構成される。
【００３５】
[0035]  いくつかの態様では、電子デバイスは、送信機から許容可能な変調コーディングスキームを受信する。
【００３６】
[0036]  本開示のいくつかの態様は、第１の変調コーディングスキームを識別するデータを受信するための手段と、電子デバイスの特性および第１の変調コーディングスキームに基づいて第２の送信機のための第２の変調コーディングスキームを選択するための手段と、選択された変調コーディングスキームを使用して通信するための手段と、を備える電子デバイスによってワイヤレスネットワークにおいて通信するための装置を含む。
【００３７】
[0037]  いくつかの態様では、第２の変調コーディングスキームは、第１の変調コーディングスキームよりも所定の数量低い。
【００３８】
[0038]  いくつかの態様では、装置は、アソシエーションの時間に、フィールド要素において送信機の送信電力の指示を受信するための手段をさらに備える。
【００３９】
[0039]  いくつかの態様では、第２の変調コーディングスキームは、所定の数量を超えない。
【００４０】
[0040]  本開示のいくつかの態様は、電子デバイスによってワイヤレスネットワークにおいて通信するための方法を含み、その方法は、第１の変調スキームを識別するデータを送信することと、送信電力インバランスを決定することと、決定された送信電力インバランスに基づいて許容可能な変調コーディングスキームのセットを識別するデータを送信することと、許容可能な変調コーディングスキームのセットから選択された第２の変調コーディングスキームを識別するデータを受信することとを備える。
【００４１】
[0041]  いくつかの態様では、第１の変調スキームを識別するデータは、アソシエーション要求または応答フレームにおいて送信される。
【００４２】
[0042]  いくつかの態様では、第１の変調スキームを識別するデータは、アソシエーションの後に伝送される管理フレームにおいて送信される。
【００４３】
[0043]  本開示のいくつかの態様は、実行されるときに装置に、送信機から第１の変調スキームを識別するデータを受信させ、電子デバイスの特性および第１の変調コーディングスキームに基づいて第２の変調コーディングスキームを選択させ、選択された変調コーディングスキームを識別するデータを送信させるコードを備える非一時的なコンピュータ可読媒体を含む。
【００４４】
[0044]  本開示のいくつかの態様は、ワイヤレスネットワークにおいて通信するための方法を含み、その方法は、第１の変調コーディングスキームにしたがってデータを送信することと、送信されたデータを受信することと、送信されたデータに基づいて電力インバランスを決定することと、所定の数量分だけ第１の変調コーディングスキームよりも低い第２の変調コーディングスキームを選択することと、選択された変調コーディングスキームを使用して通信することとを備える。
【００４５】
[0045]  本開示のいくつかの態様は、電子デバイスによってワイヤレスネットワークにおいて通信するための方法を含み、その方法は、送信機から第１の変調コーディングスキームを識別するデータを受信することと、第１の変調コーディングスキームを含む電子デバイスの特性に基づいて第２の変調コーディングスキームを選択することと、ここで第２の変調コーディングスキームを識別する情報は第１の変調コーディングスキームよりも所定の数量低い、第２の変調コーディングスキームを識別するデータを送信することと、を備える。
【００４６】
[0046]  本開示のいくつかの態様は、第１の変調コーディングスキームを識別するデータを受信するように構成されたトランシーバ、第１の変調コーディングスキームを含む電子デバイスの特性に基づいて第２の変調コーディングスキームを選択するように構成された処理システムを備える電子デバイスによってワイヤレスネットワークにおいて通信するための装置を含み、ここで第２の変調コーディングスキームを識別する情報は第１の変調コーディングスキームよりも所定の数量低い、ここでトランシーバは、第２の変調コーディングスキームを識別するデータを送信および／または受信するように構成される。
【００４７】
[0047]  本開示のいくつかの態様は、送信機から第１の変調コーディングスキームを識別するデータを受信するための手段と、第１の変調コーディングスキームを含む電子デバイスの特性に基づいて第２の変調コーディングスキームを選択するための手段と、ここで第２の変調コーディングを識別する情報は第１の変調コーディングスキームよりも所定の数量低く、第２の変調コーディングスキームを使用して通信するための手段と、を備える電子デバイスによってワイヤレスネットワークにおいて通信するための装置を含む。
【００４８】
[0048]  本開示のいくつかの態様は、実行されるときに装置に、送信機から第１の変調コーディングスキームを識別するデータを受信させ、第１の変調コーディングスキームを含む電子デバイスの特性に基づいて第２の変調コーディングスキームを選択させ、ここで第２の変調コーディングを識別する情報は第１の変調コーディングスキームよりも所定の数量低く、第２の変調コーディングスキームを識別するデータを送信させる、コードを備える非一時的なコンピュータ可読媒体を含む。
【００４９】
[0049]  本開示の上で記載された特徴が詳細に理解されることができる方法のように、上で簡潔に要約されたより特定の説明が、態様への参照によってなされており、そのいくつかが添付の図面において例示されている。しかしながら、添付した図面は、本開示のある特定の典型的な態様のみを例示しており、それゆえ、その説明が他の同等に効果的な態様を認めることができるように、その範囲を限定するものとして考えられるものではないことは留意されるべきである。
【図面の簡単な説明】
【００５０】
【図１】本開示のある特定の態様にしたがったワイヤレス通信ネットワークの図を例示している。
【図２】本開示のある特定の態様にしたがった、実例となるアクセスポイントおよびユーザ端末のブロック図を例示している。
【図３】本開示のある特定の態様にしたがった、実例となるワイヤレスデバイスのブロック図を例示している。
【図４】管理パケットの例を例示している。
【図５Ａ】通信のための実例となる方法のフローチャートである。
【図５Ｂ】通信のための実例となる方法のフローチャートである。
【図６】図１のネットワーク内で使用するユーザ端末の態様を例示している。
【図７】図１のネットワーク内で使用するアクセスポイントの態様を例示している。
【詳細な説明】
【００５１】
[0057]  本開示の様々な態様が、添付の図面を参照して以下でより十分に説明されている。しかしながら、本開示は、多くの異なる形態で具現化され、本開示全体を通して提示されるあらゆる指定の構造または機能に限定されるものとして解釈されるべきではない。むしろ、これらの態様は、本開示が徹底的で完全であり、当業者に本開示の範囲を十分に伝えることになるように提供される。ここでの教示に基づいて、本開示の何らかの他の態様から独立してインプリメントされようと、本開示の何らかの他の態様と組み合わせてインプリメントされるようと、本開示の範囲が、ここでの開示のあらゆる態様をカバーするように意図されていることを、当業者は認識すべきである。例えば、ここで述べられている任意の数の態様を使用して装置はインプリメントされうる、もしくは方法は実行されうる。加えて、本開示の範囲は、ここで述べられている開示の様々な態様に加えた、または、ここで述べられている開示の様々な態様以外の、他の構造、機能、または、構成および機能性を使用して実行されるこのような装置または方法をカバーするように意図されている。ここで開示されている開示のいずれの態様も請求項のうちの１つまたは複数の要素によって具現化されうることは理解されるべきである。
【００５２】
[0058]  特定の態様がここに説明されているが、これらの態様の多くの変形および置換が、本開示の範囲内に含まれる。説明されている態様の何らかの利益および利点が言及されているけれども、本開示の範囲は、特定の利益、使用、または、目的に限定されるように意図されていない。むしろ、本開示の態様は、異なるワイヤレス技術、システム構成、ネットワーク、および、送信プロトコルに広く適用可能であるように意図されており、そのうちのいくつかは、例として、図面中および以下の態様の説明中で例示されている。詳細な説明および図面は、限定よりもむしろ本開示を単に例示しているだけである。
【００５３】
実例となるワイヤレス通信システム
[0059]  ここで説明される技術は、直交多重化スキームに基づく通信システムを含む、様々なブロードバンドワイヤレス通信システムのために使用されうる。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、十分に異なる方向を利用することができる。ＴＤＭＡシステムは、複数のユーザ端末が、送信信号を異なる時間スロットに分割することによって同じ周波数チャネルを共有することを可能にし、各時間スロットは異なるユーザ端末に割り当てられる。ＴＤＭＡシステムは、ＧＭＳまたは当技術分野において知られている何らかの他の規格をインプリメントすることができる。ＯＦＤＭＡシステムは、システム全体の帯域幅を複数の直交サブキャリアに区分化する変調技法である直交周波数分割多重化（ＯＦＤＭ）を利用する。これらのサブキャリアは、トーン、ビン等とも呼ばれうる。ＯＦＤＭでは、各サブキャリアは、データで独立して変調されうる。ＯＦＤＭシステムは、ＩＥＥＥ８０２．１１または当技術分野において知られている何らかの他の規格をインプリメントすることができる。
【００５４】
ＳＣ−ＦＤＭＡシステムは、システム帯域幅にわたって分散されているサブキャリア上で送信するためにインターリーブされた(interleaved)ＦＤＭＡ（ＩＦＤＭＡ）を使用し、隣り合ったサブキャリアのブロック上で送信するために局所化された（localized）ＦＤＭＡ（ＬＦＤＭＡ）を使用し、または、隣り合ったサブキャリアの複数のブロック上で送信するために強化された(enhanced)ＦＤＭＡ（ＥＦＤＭＡ）を使用し得る。一般的に、変調シンボルは、ＯＦＤＭでは周波数ドメイン中で、および、ＳＣ−ＦＤＭＡでは時間ドメイン中で伝送される。ＳＣ−ＦＤＭＡシステムは、３ＧＰＰ−ＬＴＥ（第３世代パートナーシッププロジェクトのロングタームエボリューション）または他の規格をインプリメントし得る。
【００５５】
[0060]  ここにおける教示は、ワイヤード（wired）装置またはワイヤレス装置（例えば、ノード）のような、様々な電子デバイスに組み込まれうる（例えば、それらの中でインプリメントされうる、またはそれらによって行われうる）。いくつかの態様では、ここでの教示にしたがってインプリメントされるワイヤレスノードは、アクセスポイントまたはアクセス端末を備えることができる。
【００５６】
[0061]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他のターミノロジーを備えることができ、これらとしてインプリメントされることができ、または、これらとして周知でありうる。
【００５７】
[0062]  アクセス端末（「ＡＴ」）は、アクセス端末、加入者局、加入者ユニット、移動局、遠隔局、遠隔端末、ユーザ端末、ユーザエージェント、ユーザデバイス、ユーザ機器、ユーザ局、または何らかの他のターミノロジーを備えることができ、これらとしてインプリメントされることができ、または、これらとして周知でありうる。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適した処理デバイスを備えることができる。したがって、ここで教示される１つまたは複数の態様は、電話（例えば、セルラ電話またはスマートフォン）、コンピュータ（例えば、ラップトップ）、ポータブル通信デバイス、ポータブルコンピューティングデバイス（例えば、携帯情報端末）、エンターテイメントデバイス（例えば、音楽または映像デバイス、または衛星ラジオ）、全地球測位システムデバイス、または、ワイヤレス媒体またはワイヤード媒体を介して通信するように構成されている任意の他の適したデバイスに組み込まれることができる。いくつかの態様では、ノードはワイヤレスノードである。そのようなワイヤレスノードは、例えば、ワイヤードまたはワイヤレス通信リンクを介した、ネットワーク（例えば、インターネットまたはセルラネットワークのような広域ネットワーク）のための接続、またはネットワークまでの接続を提供することができる。
【００５８】
[0063]  図１は、アクセスポイン１１０トおよびユーザ端末１２０ａから１２０ｉを有する多元接続多入力多出力（ＭＩＭＯ）システム１００を例示している。簡潔さのために、１つのアクセスポイント（ＡＰ）１１０のみが図１で図示されている。アクセスポイント１１０は概して、ユーザ端末１２０ａ−ｉと通信する固定局であり、基地局またはワイヤレスデバイスとして、あるいは何らかの他のターミノロジーを使用して称されることもできる。ＳＴＡまたはユーザ端末１２０ａ−ｉは、固定または可動であることができ、移動局またはワイヤレスデバイスとして、あるいは何らかの他の専門用語を使用して称されることもできる。簡潔さのために、このデバイスは、ユーザ端末（ＵＴ）１２０ａ−ｉとして称される。ＡＰ１１０は、ダウンリンクおよびアップリンク上で、任意の所与の瞬間に１つまたは複数のＵＴ１２０ａ−ｉと通信することができる。ダウンリンク（すなわち、順方向リンク）は、アクセスポイント１１０からユーザ端末１２０ａ−ｉへの通信リンクであり、アップリンク（すなわち、逆方向リンク）は、ユーザ端末１２０からアクセスポイント１１０への通信リンクである。ユーザ端末１２０ａ−ｉは、別のユーザ端末１２０ａ−ｉとピアツーピアで通信することもできる。システムコントローラ１３０は、アクセスポイント１１０に結合し、アクセスポイント１１０に対して調整および制御を提供する。
【００５９】
[0064]  以下の開示の一部が空間分割多元接続（ＳＤＭＡ）を介して通信することができるユーザ端末１２０を説明することになる一方で、ある特定の態様では、ＵＴ１２０はまた、ＳＤＭＡをサポートしないいくつかのユーザ端末を含むこともできる。したがって、このような態様では、ＡＰ１１０はＳＤＭＡユーザ端末１２０および非ＳＤＭＡユーザ端末１２０の双方と通信するように構成されることができる。都合のよいことに、この手法は、ＳＤＭＡをサポートしないより古いバージョンのユーザ端末（「レガシ」局）が企業で採用され続けることを可能にし、それらの有効寿命を伸ばす一方で、適切であると判断されるとより新しいＳＤＭＡユーザ端末１２０が導入されることを可能にする。
【００６０】
[0065]  システム１００は、ダウンリンクおよびアップリンク上でのデータ送信のために、複数の送信アンテナおよび複数の受信アンテナを用いる。ＡＰ１１０は、Ｎap本のアンテナを装備され、ダウンリンク送信のための多入力（ＭＩ）、およびアップリンク送信のための多出力（ＭＯ）を提示する。Ｋ個の選択されたＵＴ１２０のセットは集合的に、ダウンリンク送信のための多出力、およびアップリンク送信のための多入力を提示する。純粋なＳＤＭＡでは、Ｋ個のユーザ端末に対するデータシンボルストリームが、何らかの手段により、コード、周波数、または、時間で多重化されていない場合に、Ｎap≧Ｋ≧１を有することが望まれる。ＴＤＭＡ技法、ＣＤＭＡを用いた異なるコードチャネル、ＯＦＤＭを用いて互いに素なサブバンドのセット、などを使用して、データシンボルストリームが多重化されうる場合に、Ｋは、Ｎapよりも大きいことがある。各選択されたユーザ端末１２０は、アクセスポイント１１０に対して、ユーザ固有のデータを送信し、および／または、アクセスポイント１１０から、ユーザ固有のデータを受信することができる。一般的には、各選択されたユーザ端末１２０は、１つまたは複数（すなわち、Ｎut≧１）のアンテナで装備されうる。Ｋ個の選択されたユーザ端末１２０は、同じ数のアンテナを有することができる、あるいは１つまたは複数のユーザ端末１２０は異なる数のアンテナを有することができる。
【００６１】
[0066]  ＳＤＭＡシステム１００は、時分割複信（ＴＤＤ）システムまたは周波数分割複信（ＦＤＤ）システムであることができる。ＴＤＤシステムでは、ダウンリンクおよびアップリンクは、同じ周波数帯域を共有する。ＦＤＤシステムでは、ダウンリンクおよびアップリンクは、異なる周波数帯域を使用する。システム１００はまた、送信のために、単一のキャリアまたは複数のキャリアも利用することができる。各ユーザ端末１２０は、（例えば、コストを低く抑えるために）単一のアンテナを装備され、または、（例えば、追加のコストがサポートされることができる場合には）複数のアンテナを装備されることができる。各タイムスロットが異なるＵＴ１２０に割り当てられ、ユーザ端末１２０が、送信／受信を異なるタイムスロットに分けることによって、同じ周波数チャネルを共有する場合、システム１００は、ＴＤＭＡシステムであることもできる。
【００６２】
[0067]  図２は、ＭＩＭＯシステム１００における、ＡＰ１１０、ならびに２つのＵＴ１２０ｍおよび１２０ｘのブロック図を例示している。ＡＰ１１０は、Ｎt本のアンテナ２２４ａから２２４ａｐを装備されている。ＵＴ１２０ｍは、Ｎut,m本のアンテナ２５２ｍａから２５２ｍｕを装備されており、ＵＴ１２０ｘは、Ｎut,x本のアンテナ２５２ｘａから２５２ｘｕを装備されている。ＡＰ１１０は、ダウンリンクでは送信エンティティであり、アップリンクでは受信エンティティである。ＵＴ１２０は、アップリンクでは送信エンティティであり、ダウンリンクでは受信エンティティである。ここで使用するような「送信エンティティ」は、ワイヤレスチャネルを介してデータを送信することが可能な、独立して動作する装置またはデバイスであり、「受信エンティティ」は、ワイヤレスチャネルを介してデータを受信することが可能な、独立して動作する装置またはデバイスである。以下の説明では、添字「ｄｎ」はダウンリンクを指し、添字「ｕｐ」はアップリンクを指し、Ｎup個のユーザ端末はアップリンク上での同時送信のために選択され、Ｎdn個のユーザ端末はダウンリンク上での同時送信のために選択される。ＮupはＮdnに等しかまたは等しくなく、ＮupおよびＮdnは静的値（static value）であるかまたは各スケジューリング間隔で変化しうる。ビームステアリングまたは何らかの他の空間処理技法は、ＡＰ１１０および／またはＵＴ１２０で使用されうる。
【００６３】
[0068]  アップリンク上では、アップリンク送信のために選択された各ＵＴ１２０において、ＴＸデータプロセッサ２８８が、データソース２８６からトラフィックデータを、コントローラ２８０から制御データを受信する。読取専用メモリ（ＲＯＭ）およびランダムアクセスメモリ（ＲＡＭ）の双方を含みうるメモリ２８２は、命令およびデータをコントローラ２８０に提供する。ＴＸデータプロセッサ２８８は、そのユーザ端末のために選択されたレートに関連付けられたコーディングおよび変調スキームに基づいて、そのユーザ端末のためのトラフィックデータを処理（例えば、符号化、インターリーブ、および変調）し、データシンボルストリームを提供する。ＴＸ空間プロセッサ２９０は、そのデータシンボルストリームに対して空間処理を行い、Ｎut,m本のアンテナにＮut,m個の送信シンボルストリームを提供する。各送信機ユニット（ＴＭＴＲ）２５４は、アップリンク信号を生成するために、それぞれの送信シンボルストリームを受信および処理（例えば、アナログにコンバート、増幅、フィルタリング、および周波数のアップコンバート）する。Ｎut,m個の送信機ユニット２５４は、例えば、ＡＰ１１０に送信するための、Ｎut,m本のアンテナ２５２からの送信のためにＮut,m個のアップリンク信号を提供する。
【００６４】
[0069]  Ｎup個のユーザ端末１２０は、アップリンク上での同時送信のためにスケジューリングされうる。これらのユーザ端末１２０の各々は、そのそれぞれのデータシンボルストリーム上で空間処理を行い、その送信シンボルストリームのそれぞれのセットをアップリンク上でＡＰ１１０に送信することができる。
【００６５】
[0070]  ＡＰ１１０では、Ｎap本のアンテナ２２４ａから２２４ａｐが、アップリンク上で送信するＮup個のユーザ端末の全てからのアップリンク信号を受信する。各アンテナ２２４は、それぞれの受信機ユニット（ＲＣＶＲ）２２２に対して、受信信号を提供する。各受信機ユニット２２２は、送信機ユニット２５４によって行われる処理と相補的な処理を行い、受信シンボルストリームを提供する。ＲＸ空間プロセッサ２４０は、Ｎap個の受信機ユニット２２２からのＮap個の受信シンボルストリームに対して受信機空間処理を行い、Ｎup個の復元されたアップリンクデータシンボルストリームを提供する。チャネル相関マトリクス逆変換（ＣＣＭＩ）、最小平均二乗誤差（ＭＭＳＥ）、ソフト干渉消去（ＳＩＣ）、または、何らかの他の技法にしたがって、受信機空間処理が行われうる。各復元されたアップリンクデータシンボルストリームは、それぞれのユーザ端末１２０によって送信されたデータシンボルストリームの推定である。ＲＸデータプロセッサ２４２は、復号されたデータを取得するために、そのストリームのために使用されるレートにしたがって各復元されたアップリンクデータシンボルストリームを処理（例えば、復調、デインターリーブ、および復号）する。各ユーザ端末に対する復号されたデータは、記憶のためにデータシンク２４４に提供され、および／または、さらなる処理のためにコントローラ２３０に提供されうる。読取専用メモリ（ＲＯＭ）およびランダムアクセスメモリ（ＲＡＭ）の双方を含みうるメモリ２３２は、命令およびデータをコントローラ２３０に提供する。
【００６６】
[0071]ダウンリンク上では、ＡＰ１１０において、ＴＸデータプロセッサ２１０は、ダウンリンク送信のためにスケジューリングされたＮdn個のユーザ端末のために、データソース２０８からトラフィックデータを受信し、コントローラ２３０から制御データを受信し、場合によってはスケジューラ２３４から他のデータを受信する。様々なタイプのデータが、異なるトランスポートチャネル上で伝送されうる。ＴＸデータプロセッサ２１０は、各ユーザ端末のためのトラフィックデータを、そのユーザ端末のために選択されたレートに基づいて、処理（例えば、符号化、インターリーブ、および変調）する。ＴＸデータプロセッサ２１０は、Ｎdn個のユーザ端末にＮdn個のダウンリンクデータシンボルストリームを提供する。ＴＸ空間プロセッサ２２０は、Ｎdn個のダウンリンクデータシンボルストリーム上で（プリコーディングまたはビームフォーミングのような）空間処理を行い、Ｎap本のアンテナにＮap個の送信シンボルストリームを提供する。各送信機ユニット２２２は、ダウンリンク信号を生成するために、それぞれの送信シンボルストリームを受信および処理する。Ｎap個の送信機ユニット２２２は、例えばユーザ端末１２０に送信するために、Ｎap本のアンテナ２２４からの送信のためにＮap個のダウンリンク信号を提供することができる。
【００６７】
[0072]各ＵＴ１２０において、Ｎut,m本のアンテナ２５２は、ＡＰ１０からＮap個のダウンリンク信号を受信する。各受信機ユニット２５４は、関連付けられたアンテナ２５２からの受信信号を処理し、受信シンボルストリームを提供する。ＲＸ空間プロセッサ２６０は、Ｎut,m個の受信機ユニット２５４からのＮut,m個の受信シンボルストリームに、受信機空間処理を行い、そのＵＴ１２０に復元されたダウンリンクデータシンボルストリームを提供する。受信機空間処理は、ＣＣＭＩ、ＭＭＳＥ、または何らかの他の技法にしたがって行われうる。ＲＸデータプロセッサ２７０は、ユーザ端末ための復号されたデータを取得するために、復元されたダウンリンクデータシンボルストリームを処理（例えば、復調、デインターリーブ、および復号）する。復号されたデータは、記憶のためにデータシンク２７２に提供され、および／または、さらなる処理のためにコントローラ２８０に提供されうる。
【００６８】
[0073]  各ＵＴ１２０において、チャネル推定器２７８は、ダウンリンクチャネル応答を推定し、ダウンリンクチャネル推定値を提供し、ダウンリンクチャネル推定値は、チャネル利得推定値、ＳＮＲ推定値、雑音分散、等を含むことができる。同様に、チャネル推定器２２８は、ＡＰ１１０に関して、アップリンクチャネル応答を推定し、アップリンクチャネル推定値を提供する。各ユーザ端末１２０のためのコントローラ２８０は通常、ユーザ端末１２０に関する空間フィルタマトリクスを、そのユーザ端末１２０のためのダウンリンクチャネル応答マトリクスＨdn,mに基づいて導出する。コントローラ２３０は、アクセスポイント１１０に関する空間フィルタマトリクスを、有効アップリンクチャネル応答マトリクスＨup,effに基づいて導出する。各ユーザ端末１２０のためのコントローラ２８０は、ＡＰ１１０にフィードバック情報（例えば、ダウンリンクおよび／またはアップリンクの固有ベクトル、固有値、ＳＮＲ推定値、等）を伝送することができる。コントローラ２３０および２８０はまた、ＡＰ１１０およびＵＴ１２０においてそれぞれ、様々な処理ユニットの動作を制御することができる。
【００６９】
[0074]  図３は、ワイヤレス通信システム１００内で用いられうるワイヤレスデバイス３０２において利用されうる様々なコンポーネントを例示している。ワイヤレスデバイス３０２は、ここで説明されている様々な方法をインプリメントするように構成されうるデバイスの例である。ワイヤレスデバイス３０２は、ＡＰ１１０またはＵＴ１２０をインプリメントすることができる。
【００７０】
[0075]  ワイヤレスデバイス３０２は、ワイヤレスデバイス３０２の動作を制御するプロセッサ３０４を含むことができる。プロセッサ３０４は、中央処理ユニット（ＣＰＵ）とも称されうる。読取専用メモリ（ＲＯＭ）およびランダムアクセスメモリ（ＲＡＭ）の双方を含みうるメモリ３０６は、プロセッサ３０４に命令およびデータを提供する。メモリ３０６の一部はまた、不揮発性ランダムアクセスメモリ（ＮＶＲＡＭ）を含むこともできる。プロセッサ３０４は、メモリ３０６内に記憶されているプログラム命令に基づいて、論理および演算動作を行うことができる。メモリ３０６における命令は、ここで説明されている方法をインプリメントするために実行可能でありうる。
【００７１】
[0076]プロセッサ３０４は、１つまたは複数のプロセッサでインプリメントされる処理システムのコンポーネントを備えることができる、あるいは処理システムのコンポーネントでありうる。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェアコンポーネント、専用ハードウェア有限ステートマシン、または、計算あるいは他の情報の操作を行うことができる何らかの他の適したエンティティ、のあらゆる組み合わせでインプリメントされうる。
【００７２】
[0077]  処理システムはまた、ソフトウェアを記憶するための機械可読媒体も含むことができる。ソフトウェア、ファームウェア、ミドルウェア、マイクロコード、ハードウェア記述言語、または、その他の方法で称されようと、ソフトウェアは、あらゆるタイプの命令を意味するように広く解釈されることになる。命令は、（例えば、ソースコードフォーマット、バイナリコードフォーマット、実行可能コードフォーマット、あるいは何らかの他の適したコードのフォーマットにおける）コードを含むことができる。１つまたは複数のプロセッサによって実行されるとき、命令は、処理システムにここで説明されている様々な機能を行わせる。
【００７３】
[0078]  ワイヤレスデバイス３０２はまた、ワイヤレスデバイス３０２と遠隔ロケーションとの間でのデータの送信および受信を可能にする、送信機３１０および受信機３１２を含みうるハウジング３０８を含むことができる。送信機３１０および受信機３１２は、組み合わせてトランシーバ３１４にすることができる。単数のまたは複数の送信アンテナ３１６は、ハウジング３０８に取り付けられることができ、トランシーバ３１４に電気的に結合されることができる。ワイヤレスデバイス３０２はまた、（図示されていない）複数の送信機、複数の受信機、および複数のトランシーバを含むことができる。
【００７４】
[0079]  ワイヤレスデバイス３０２はまた、トランシーバ３１４によって受信された信号のレベルを検出および定量化するために使用されうる信号検出器３１８を含むこともできる。信号検出器３１８は、総エネルギー、シンボルあたりのサブキャリア毎のエネルギー、電力スペクトル密度、および他の信号のような信号を検出することができる。ワイヤレスデバイス３０２はまた、信号を処理する際に使用するための、デジタル信号プロセッサ（ＤＳＰ）３２０も含むことができる。
【００７５】
[0080]  ワイヤレスデバイス３０２の様々なコンポーネントは、データバスに加えて、電力バス、制御信号バス、およびステータス信号バスを含みうる、バスシステム３２２により、共に結合されうる。
【００７６】
[0081]  いくつかの態様では、図１で例示されているワイヤレスシステム１００は、ＩＥＥＥ８０２．１１ａｈワイヤレス通信規格にしたがって動作する。ＩＥＥＥ８０２．１１ａｈは、低送信電力のＩＥＥＥ８０２．１１ワイヤレスネットワークの使用を可能にするＩＥＥＥ８０２．１１修正案を提示する。ＩＥＥＥ８０２．１１ａｈ規格はまた、時折、サブ１ＧＨｚワイヤレス通信規格としても称されうる。ＩＥＥＥ８０２．１１ａｈ規格は、センサタイプのアプリケーションを有効にすることを対象とする。これらのアプリケーションでは、センサは大抵、低送信電力能力を有する。
【００７７】
[0082]  他の８０２．１１規格では、異なるデバイスは、異なる通信データレートをサポートすることができる。さらに、ＵＴ１２０のようなデバイスは、ＡＰ１１０のようなネットワークデバイスに、ＵＴ１２０によってサポートされるＭＣＳのセットを提供することができる。したがって、ＡＰ１１０は、どのＭＣＳがＵＴ１２０との通信のために使用されることになるかを知る。
【００７８】
[0083]  図４は、管理パケット４００の例を例示している。図示されているように、管理パケットは、２バイトのフレーム制御（ｆｃ）フィールド４０５、２バイトの期間（ｄｕｒ）フィールド４１０、および６バイトのアドレス１（宛先アドレス（ｄａ））フィールド４１５、６バイトのアドレス２（送信側アドレス（ｓａ））フィールド４２０、６バイトの基本サービスセット識別子（ＢＳＳＩＤ）フィールド４２５、２バイトのシーケンス制御（ｓｃ）フィールド４３０、４バイトのＨＴ制御フィールド４３５、可変のサイズのフレームボディ４４０、および４バイトのフレーム検査シーケンスフィールド４４５を含む。いくつかの態様では、管理パケット４００がＶＨＴではなくＨＴをサポートするデバイスのために通信され、ＨＴ制御フィールド４３５は、ＶＨＴ能力要素ではなくＨＴ能力要素を含むことができる。いくつかの態様では、管理パケット４００がＶＨＴをサポートする（したがって、ＨＴもサポートする）デバイスのために通信され、ＨＴ制御フィールド４３５は、ＨＴ能力要素およびＶＨＴ能力要素の双方を含むことができる。いくつかの態様では、ＨＴ通信をサポートするデバイスは、管理パケット（例えば、管理パケット４００）のＨＴ制御フィールド（例えば、ＨＴ制御フィールド４３５）のＨＴ能力要素において、サポートされているＭＣＳのセットについての情報を送信することができる。例えば、ＨＴ能力要素は、ＭＣＳインデックス値のセットを定義する複数のビットを含む。実際のＭＣＳに対するＭＣＳインデックス値のマッピングは、規格によって定義されうる。例えば、第１のビットは第１のＭＣＳにマッピングすることができ、第２のビットは第２のＭＣＳにマッピングすることができる。ＨＴ制御フィールド４３５において受信されたビットの値に依存して、ＡＰ１１０は、どのマッピングされたＭＣＳがサポートされるか、およびどのマッピングされたＭＣＳがサポートされないかを決定することができる。
【００７９】
[0084]  さらにいくつかの態様では、ＶＨＴ通信をサポートする電子デバイスは、管理パケット（例えば、管理パケット４００）のＨＴ制御フィールド（例えば、ＨＴ制御フィールド４３５）のＶＨＴ能力要素において、サポートされたＭＣＳのセットについての情報を送信する。ＶＨＴ能力要素は、個々のサポートされたＭＣＳのマッピングに対応しない。むしろ、ＶＨＴ能力要素は、空間ストリームの数毎にサポートされる最大ＭＣＳを示す。ＶＨＴ能力要素を受信するＡＰ１１０は、ＵＴ１２０が、所与の空間ストリームのためにサポートされると示される最大ＭＣＳと等しい、あるいは最大ＭＣＳよりも低い所与の空間ストリームのための全てのＭＣＳをサポートするとみなす。さらに、いくつかのＭＣＳは、暗黙的にサポートされるとみなされ、それらがサポートされていないと示す指示はどれも利用可能でない。
【００８０】
[0085]  いくつかの状態では、ＡＰ１１０は、ＡＰ１１０の送信電力能力に基づいて、所与のＭＣＳでクライアントに送信することができる。しかしながら、低送信電力のＵＴ１２０は、同じ、あるいは類似のＭＣＳでさえもＡＰ１１０に送信することができない。ＵＴ１２０は、ＵＴ１２０の低送信電力に基づいて、所与の空間ストリームに関してＵＴ１２０によってサポートされる最大ＭＣＳよりも小さい全てのＭＣＳをサポートすることを望むだけである。例えば、ＭＣＳは、特定のＭＣＳを使用して伝送されうる有効ビットレートデータに基づいた順序を有することができる。有効ビットレートが大きいほど、ＭＣＳは「大きくなる」。
【００８１】
[0086]  したがって、ＵＴ１２０が、ＡＰ１１０に対して、どのＭＣＳがＵＴ１２０によってサポートされるかを示すことを可能にするためのシステムおよび方法がここで説明されている。例えば、低送信電力能力を有するＵＴ１２０は、特定のＭＣＳを使用してＡＰ１１０からフレームを受信する。いくつかの状態では、ＵＴ１２０は、その低送信電力に基づいて、ＡＰ１１０のＭＣＳあるいはその近くのＭＣＳを使用して応答することができない。ＡＰ１１０とＵＴ１２０との間の送信電力間のインバランスまたは差異のために、通信に関する問題が生じうる。
【００８２】
[0087]  １つの態様では、ＵＴ１２０は自由に、それがＡＰ１１０から受信されたフレームに応答する応答レートまたは応答ＭＣＳを選択する。ＵＴ１２０は、ＡＰ１１０から、第１のＭＣＳを識別するデータを受信する。ここで使用されているように、ＭＣＳを識別するデータという用語、または他の類似の用語は、例えば、既知のＭＣＳで通信すること、フレームで既知のＭＣＳを識別する情報を伝送することと、またはＭＣＳを示すための他の一般的に既知の方法を称しうる。第２のＭＣＳを選択した後、ＵＴ１２０はＡＰ１１０に選択されたＭＣＳを識別するデータを送信し、通信リンクは確立されうる。
【００８３】
[0088]  いくつかの態様では、ＵＴ１２０は、ＡＰ１１０から受信されたものよりも所定の数量（quantity）すなわちＮ個のＭＣＳ低いＭＣＳを選択し、応答において、選択されたＭＣＳを使用して通信する。Ｎ、したがって関連付けられたＭＣＳは、ＵＴ１２０の特性、およびＡＰ１１０によって送信されＵＴ１２０によって受信されたＭＣＳに基づき選択される。
【００８４】
[0089]  いくつかの態様では、Ｎは固定であり、例えば、ＩＥＥＥ８０２．１１ａｈノード間の典型的な電力インバランスによって定義される。ＡＰ１１０は、２０ｄＢｍで送信する電力増幅器を有することができる。ＵＴ１２０は、電力増幅器を有さず、０ｄＢｍで送信する。これらの送信電力レベル間の差は、しばしば、電力インバランスとして称される。ＩＥＥＥ８０２．１１ａｈを使用するネットワークにおけるデバイス間で典型的な電力インバランスが何であるかを知ることによって、ＭＣＳ間の関連は固定および確立されうる。したがって、ＡＰ１１０からＭＣＳにしたがってデータを受信する際に、ＵＴ１２０は、ＡＰ１１０によって使用されるＭＣＳよりも固定値のＮ低いＭＣＳを選択し、選択されたＭＣＳにしたがってＡＰ１１０と通信するだろう。
【００８５】
[0090]  いくつかの態様では、所定の数量すなわちＮは、ＡＰ１１０とＵＴ１２０との間の送信電力の関数である。モバイルネットワーク上の各デバイスは、アソシエーションにおいてその送信電力を宣言する。例えば、ＡＰ１１０は、２０ｄＢｍで送信し、ＵＴ１２０は１０ｄＢｍで送信する。送信電力の指示は、２つのデバイス間のアソシエーションの時に、ＡＰ１１０およびＵＴ１２０によって伝送および受信される。この例では、電力インバランスは１０ｄＢｍであり、それは、Ｎに関して定義された値に対応する。一旦Ｎが知られると、ＵＴ１２０は、ＡＰ１１０によって使用されるＭＣＳよりもＮ低いＭＣＳを選択する。Ｎを決定するための１つの例がここで提供されるが、Ｎは、ＡＰ１１０とＵＴ１２０との間のあり得る電力インバランスの範囲に対応する値か、あるいは、あり得る電力インバランスの範囲から計算される値のいずれかでありうることは当業者によって理解されよう。いくつかの態様では、送信電力の指示は、アソシエーション要求／アソシエーション応答フレーム内の能力要素におけるフィールドで、ＡＰ１１０またはＵＴ１２０のどちらか、あるいはその両方によって提供される。
【００８６】
[0091]  いくつかの態様では、Ｎは、ＡＰ１１０によってＵＴ１２０に示される値でありうる。いくつかの態様では、Ｎは、ＵＴ１２０によってＡＰ１１０に示される値でありうる。Ｎの値は、アソシエーション要求フレーム内のフィールドまたは情報要素に含まれうる。いくつかの態様では、Ｎの指示は、アソシエーションの後に伝送される管理フレームに含まれうる。
【００８７】
[0092]  いくつかの態様では、ＭＣＳ選択基準は、選択されたＭＣＳが特定の値Ｘを超えないことを要求する。受信されたＭＣＳよりもＮ低いＭＣＳを選択することに対比して、ＭＣＳ選択は、Ｘよりも低い複数のＭＣＳに制限される。上で説明されたようなＮと同様に、Ｘはデータレート、ビットレート、変調コーディングスキーム、または類似のパラメータを称しうる。Ｘに関する値は、本明細書のいずれかの箇所で説明されているＮに関する値と同様に確立されうる。例えば、Ｘは、ＡＰ１１０とＵＴ１２０との間の典型的な電力インバランスに基づいて固定されうる。Ｘは、送信電力インバランスの関数であるか、または、ＡＰ１１０またはＵＴ１２０のどちらかによって示されうる。
【００８８】
[0093]  いくつかの態様では、ＡＰ１１０またはＵＴ１２０は、電力インバランスの各値に対応する、ＢＳＳＢａｓｉｃＭＣＳＳｅｔ（ＢＢＳベーシックＭＣＳセット）内の許容された応答ＭＣＳと各受信されたＭＣＳとの間の正確な関連を示すことができる。したがって、電力インバランスに基づいて、ＵＴ１２０は、電力インバランスに対応する許容された応答ＭＣＳのセット内のＭＣＳを選択する。いくつかの態様では、ＡＰ１１０は、制御応答で使用されるべき２つのＢＢＳベーシックセットテーブルを提供するように構成され、１つのセットは、高送信電力デバイスに使用され、１つのセットは、低送信電力デバイスに使用される。低送信電力ＵＴ１２０がＡＰ１１０からフレームを受信するとき、対応する低送信電力ＢＢＳベーシックセットテーブル中の許容されたＭＣＳと受信されたＭＣＳとの間の正確な関連が識別される。低送信電力ＵＴ１２０は、その後、低送信電力ＢＢＳベーシックセットテーブルから低ＭＣＳを選択する。
【００８９】
[0094]  いくつかの態様では、ＡＰ１１０は、電力インバランスを知った後、ＡＰ１１０のＭＣＳと、ＵＴ１２０に許容された応答ＭＣＳとの間の正確な関係を示すことができる。いくつかの態様では、ＵＴ１２０は、電力インバランスを知った後、ＵＴ１２０とＡＰ１１０のＭＣＳの正確な関係を示すことができる。ＵＴ１２０は、ＡＰ１１０からのビーコンまたはプローブ応答に基づいて電力インバランスを知ることができる。許容された応答ＭＣＳとＡＰ１１０のＭＣＳとの間の正確な関係の指示は、アソシエーション要求または応答フレーム内のフィールドまたは情報要素に含まれうる、またはフィールドまたは情報要素で送信されうる。いくつかの態様では、正確な関係は、アソシエーションの後に伝送される管理フレームに含まれうる。
【００９０】
[0095]  上述の例は、ＡＰ１１０とＵＴ１２０との間の関係を説明している。しかしながら、その説明は、ＡＰ１１０とＵＴ１２０との間の通信のみに限定されない。当業者は、同じ説明が２つのピアＵＴまたはピアＡＰに適用されることができることを理解するだろう。
【００９１】
[0096]  図５Ａは、通信のための実例となる方法５００Ａのフローチャートである。その方法は、ＵＴ１２０によってインプリメントされるように説明されている。しかしながら、当業者によって理解されることになるように、その方法は１つまたは複数の他の適した電子デバイスによってインプリメントされうる。
【００９２】
[0097]  ブロック５０２で、ＵＴ１２０は、第１のＭＣＳを識別する情報を受信する。ＭＣＳは、ＡＰ１１０または別のピアＵＴ１２０から受信されうる。第１のＭＣＳを識別する情報は、アソシエーション要求フレームで、または管理フレームで受信されうる。
【００９３】
[0098]  ブロック５０４で、ＵＴ１２０は通信する際に使用する第２のＭＣＳを選択する。選択されたＭＣＳは、例えば送信電力、デバイスタイプまたは類似の特徴のようなＵＴ１２０の特性、および第１の変調コーディングスキームに基づく。例示的なデバイスタイプは、電子デバイスがＡＰ１１０またはＵＴ１２０として通信ネットワークで機能するかどうかである。別の例示的なデバイスタイプは、電子デバイスが、ＡＰ１１０にＵＴ１２０として通信ネットワークで通信するか、別のＵＴ１２０にＵＴ１２０としてピアツーピア通信で通信するかである。ＡＰ１１０とＵＴ１２０との間の送信電力インバランスは、ＭＣＳを選択するための基礎として使用されうる。本明細書のいずれかの場所で説明されるように、ＭＣＳは、受信されたＭＣＳよりもＮ低いＭＣＳ値であるか、Ｘよりも低くなるように制限され得、さらに、電力インバランスに基づきうる。特定の電力インバランスに対応するＮまたはＸに関する値は、製造時等にＵＴ１２０において予めプログラミングされるか、あるいはソフトウェアまたはファームウェア更新によってなどして更新されうる。
【００９４】
[0099]  ブロック５０６で、ＵＴ１２０は、ＡＰ１１０に、選択されたＭＣＳを識別または使用するデータを送信する。
【００９５】
[00100]  図５Ｂは、通信のための実例となる方法５００Ｂのフローチャートである。その方法は、ＡＰ１１０によってインプリメントされるように説明されている。しかしながらその方法は、当業者によって理解されることになるように、１つまたは複数の他の適した電子デバイスによってインプリメントされうる。
【００９６】
[00101]  ブロック５０８で、ＡＰ１１０は、ＵＴ１２０に、第１のＭＣＳを識別する情報を送信する。送信された情報は、ＡＰ１１０の送信電力に関する情報、使用されているＭＣＳ、許容可能な応答ＭＣＳのセット、電力インバランスについての情報、および／または応答ＭＣＳを選択するために使用されるべき所定の数量を備え得る。この情報は、アソシエーション応答フレームに、あるいはアソシエーションの後に伝送される管理フレームに含まれうる。
【００９７】
[00102]  ブロック５１０で、ＡＰ１１０は、選択されたＭＣＳを使用してＵＴ１１０から選択されたＭＣＳを識別する情報を受信する。
【００９８】
[00103]  図６は、図１のネットワーク内で使用するＵＴ６００の態様を例示している。ＵＴ６００は、図１または図２で例示されているユーザ端末１２０のいずれかを備えることができる。上で論じられたように、ＵＴ６００は、電子デバイスとして、例えば、図３で例示されているワイヤレスデバイス３０２として、インプリメントされうる。ＵＴ６００は、図４および５Ａに関して上で説明されたようにＡＰと通信するために使用されうる。
【００９９】
[00104]  ＵＴ６００は、ＵＴ６００が、特定のアクセスポイント１１０と通信するために使用することになるＭＣＳを決定するための選択モジュール６０２を備える。選択モジュール６０２は、図５Ａで例示されているブロック５０４に関して上で論じられた機能のうちの１つまたは複数を行うように構成されうる。選択モジュール６０２は、図３で例示されているＤＳＰ３２０およびプロセッサ３０４のうちの１つまたは複数に対応しうる。ＵＴ６００はさらに、生成されたパケットをワイヤレスに送信するための送信モジュール６０６を備える。送信モジュール６０６は、図５Ａで例示されているブロック５０６に関して上で論じられた機能のうちの１つまたは複数を行うように構成されうる。送信モジュール６０６は、送信機３１０に対応しうる。ＵＴ６００は、生成モジュール６０４をさらに備える。生成モジュール６０４は、本明細書のいずれかの箇所で説明されているように、ＭＣＳを選択する際に使用される、所定の数量Ｎを、送信電力インバランスに基づいて記憶または生成するように構成されうる。生成モジュール６０４は、所与の電力インバランスに対し、受信されたＭＣＳと許容された応答ＭＣＳとの間の関連に基づいて使用されるべきＭＣＳを提供し得る。生成モジュール６０４の機能は、図５Ａで例示されているブロック５０４に関して上で説明された機能に含まれうる。ＵＴ６００は、サポートされたＭＣＳを使用して別のデバイスとワイヤレスに通信するための通信モジュール６０８をさらに備える。通信モジュール６０８は、図５Ｂで例示されているブロック５１０に関して上で論じられた機能のうちの１つまたは複数を行うように構成されうる。通信モジュール６０８は、トランシーバ３１４に対応しうる。
【０１００】
[00105]  図７は、図１のネットワーク内で使用するＡＰ７００の態様を例示している。ＡＰ７００は、図１または図２で例示されているアクセスポイント１１０のいずれかを備えることができる。上で論じられたように、ＡＰ７００は、電子デバイスとして、例えば、図３で例示されているワイヤレスデバイス３０２として、インプリメントされうる。ＡＰ７００は、図４および５Ｂに関して上で説明されたようにＵＴと通信するために使用されうる。
【０１０１】
[00106]  ＡＰ７００は、別のデバイスのサポートされたＭＣＳを示すパケットを受信するための送信モジュール７０２を備える。送信モジュール７０２は、図５Ｂで例示されているブロック５０８に関して上で論じられた機能のうちの１つまたは複数を行うように構成されうる。送信モジュール７０２は、送信機３１０に対応しうる。ＡＰ７００は、受信されたパケットに基づいて、どのＭＣＳが他のデバイスによってサポートされているかを決定するための受信モジュール７０４をさらに備える。受信モジュール７０４は、図５Ｂで例示されているブロック５１０に関して上で論じられた機能のうちの１つまたは複数を行うように構成されうる。受信モジュール７０４は、受信機３１２に対応しうる。ＡＰ７００は、サポートされたＭＣＳを使用して他のデバイスとワイヤレスに通信するための通信モジュール７０８をさらに備える。通信モジュール７０８は、トランシーバ３１４に対応しうる。
【０１０２】
[00107]  当業者は、ソフトウェアまたはハードウェアのどちらか、あるいはその両方を備えることができ、ＵＴ６００および／またはＡＰ７００に関して上で説明されたモジュールをインプリメントするように使用されうる、様々な回路、チップ、モジュール、および／またはコンポーネントを認識するだろう。ＵＴ６００および／またはＡＰ７００のモジュールのうちの１つまたは複数は、図３で例示されているプロセッサ３０４において部分的に、または全体的にインプリメントされうる。
【０１０３】
[00108]  別々に記述されているけれども、ＵＴ６００およびＡＰ７００に関して説明されている機能ブロックが別個の構造要素である必要はないことは認識されるべきである。同様に、機能ブロックのうちの１つまたは複数、または、様々なブロックの機能の一部は、単一のチップで具現化されうる。代わりとして、特定のブロックの機能は、２つ以上のチップにインプリメントされうる。加えて、さらなるモジュールまたは機能が、ＵＴ６００および／またはＡＰ７００でインプリメントされうる。同様に、より少ないモジュールまたは機能がＵＴ６００および／またはＡＰ７００でインプリメントされ、ＵＴ６００および／またはＡＰ７００のコンポーネントが複数の構成のいずれかで配列されうる。図２、３、６、および７で例示されている様々なモジュール間で、あるいはさらなるモジュール間で、さらなる結合、またはより少ない結合がインプリメントされうる。
【０１０４】
[00109]  上で説明された方法の様々な動作は、対応する機能を行うことができるあらゆる適した手段によって行われることができる。手段は、これらに限定されないが、回路、特定用途向け集積回路（ＡＳＩＣ）、または、プロセッサを含む、様々なハードウェアならびに／あるいは（１つまたは複数の）ソフトウェアのコンポーネントおよび／または（１つまたは複数の）モジュールを含むことができる。一般的に、図面に例示されている動作、モジュール、またはステップがある場合、それらの動作は、対応するカウンターパートのミーンズプラスファンクションコンポーネント（ｍｅａｎｓ−ｐｌｕｓ−ｆｕｎｃｔｉｏｎ  ｃｏｍｐｏｎｅｎｔ）を有しうる。例えば、ユーザ端末は、ヌルデータパケットアナウンスメントを備えるメッセージを受信するための手段と、ここにおいてヌルデータパケットアナウンスメントはシーケンス番号を備え、ヌルデータパケットアナウンスメントに関連付けられたヌルデータパケットに少なくとも部分的に基づいてチャネル状態情報を決定するための手段と、ヌルデータパケットアナウンスメントのシーケンス番号と、決定されたチャネル状態情報の少なくとも１つのパラメータとを備えるメッセージを送信するための手段を備えることができる。
【０１０５】
[00110]  ワイヤレスネットワークにおいて通信するための装置は、受信するための手段を備えることができる。装置はさらに、識別するための手段を備えることができる。装置はさらに、通信するための手段を備えることができる。装置は、図１で例示されているような、ＡＰ１１０を含むことができる。
【０１０６】
[00111]  受信するための手段は、図５Ｂで例示されているブロック５０８および５１２に関して上で論じられた機能のうちの１つまたは複数を行うように構成されうる。受信するための手段は、図３に関して上で論じられた、受信機３１２、トランシーバ３１４、プロセッサ３０４、およびメモリ３０６のうちの１つまたは複数に対応しうる。識別するための手段は、図５Ｂで例示されているブロック５１０に関して上で論じられた機能のうちの１つまたは複数を行うように構成されうる。識別するための手段は、図３に関して上で論じられた、プロセッサ３０４およびメモリ３０６のうちの１つまたは複数に対応しうる。通信するための手段は、図５Ｂで例示されているブロック５０８および５１２に関して上で論じられた機能のうちの１つまたは複数を行うように構成されうる。通信するための手段は、図３に関して上で論じられた、送信機３１０、トランシーバ３１４、プロセッサ３０４、およびメモリ３０６のうちの１つまたは複数に対応しうる。
【０１０７】
[00112]  ワイヤレスネットワークにおいて通信するための装置は、少なくとも１つの第１の変調コーディングスキームを識別する情報を生成するための手段を備えることができる。装置は、少なくとも１つの第２の変調コーディングスキームを識別する情報を生成するための手段をさらに備えることができる。装置はさらに、送信するための手段を備えることができる。装置は、通信するための手段をさらに備えることができる。装置は、図１で例示されているように、ＵＴ１２０ａ−ｉのうちのいずれかを含むことができる。
【０１０８】
[00113]  少なくとも１つの第１の変調コーディングスキームを識別する情報を生成するための手段は、図５Ａで例示されているブロック５０２および５０４に関して上で論じられた機能のうちの１つまたは複数を行うように構成されうる。少なくとも１つの第１の変調コーディングスキームを識別する情報を生成するための手段は、図３に関して上で述べられた、プロセッサ３０４およびメモリ３０６のうちの１つまたは複数に対応しうる。少なくとも１つの第２の変調コーディングスキームを識別する情報を生成するための手段は、図５Ａで例示されているブロック５０２および５０４に関して上で論じられた機能のうちの１つまたは複数を行うように構成されうる。少なくとも１つの第２の変調コーディングスキームを識別する情報を生成するための手段は、図３に関して上で論じられた、プロセッサ３０４およびメモリ３０６のうちの１つまたは複数に対応しうる。送信するための手段は、図５Ａで例示されているブロック５０６に関して上で論じられた機能のうちの１つまたは複数を行うように構成されうる。送信するための手段は、図３に関して上で論じられた、送信機３１０、トランシーバ３１４、プロセッサ３０４、およびメモリ３０６のうちの１つまたは複数に対応しうる。通信するための手段は、図３に関して上で論じられた、送信機３１０、トランシーバ３１４、プロセッサ３０４、およびメモリ３０６のうちの１つまたは複数に対応しうる。
【０１０９】
[00114]  ここで使用されるように、「決定する」という用語は、幅広い動きを含む。例えば、「決定する」は、計算する、コンピューティングする、処理する、導出する、調査する、ルックアップする（例えば、テーブル、データベース、または別のデータ構造をルックアップする）、確定する、等を含むことができる。また、「決定する」は、受信する（例えば、情報を受信する）、アクセスする（例えば、メモリ内のデータにアクセスすること）、等を含むことができる。また、「決定する」は、解決する、選択する、選ぶ、確立する、等を含むことができる。
【０１１０】
[00115]  ここで使用されるように、項目のリスト「のうちの少なくとも１つ」に関する表現は、単一のメンバを含む、それらの項目の任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【０１１１】
[00116]  上で記述された方法の様々な動作は、それらの動作を行うことができるあらゆる適した手段、例えば、様々なハードウェアおよび／またはソフトウェアの、（１つまたは複数の）コンポーネント、回路、および／または（１つまたは複数の）モジュールによって行われうる。一般的に、図面に例示されたいずれの動作も、それらの動作を行うことが可能な対応する機能的手段によって行われうる。
【０１１２】
[00117]  本開示に関係して説明された、様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明された機能を行うように設計された、それらの任意の組み合わせを用いてインプリメントまたは行われうる。汎用プロセッサは、マイクロプロセッサであることができるが、その代わりに、プロセッサは、任意の商業的に入手可能なプロセッサ、コントローラ、マイクロコントローラ、またはステートマシンであることができる。プロセッサはまた、例えばＤＳＰとマイクロプロセッサの組み合わせ、複数のマイクロプロセッサ、ＤＳＰコアと連動する１つまたは複数のマイクロプロセッサ、またはあらゆる他のそのような構成、のコンピューティングデバイスの組み合わせとしてもインプリメントされうる。
【０１１３】
[00118]  １つまたは複数の態様では、説明された機能は、ハードウェア、ソフトウェア、ファームウェア、またはこれらのあらゆる組み合せでインプリメントされうる。ソフトウェアでインプリメントされた場合、機能は、１つまたは複数の命令またはコードとしてコンピュータ可読媒体上に記憶され、あるいは、１つまたは複数の命令またはコードとしてコンピュータ可読媒体上で送信されうる。コンピュータ可読媒体は、１つの場所から別の場所へのコンピュータプログラムの転送を容易にする任意の媒体を含む通信媒体およびコンピュータ記憶媒体の双方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、データ構造または命令の形態で所望のプログラムコードを搬送または記憶するために使用されることができ、かつコンピュータによってアクセスされうるあらゆる他の媒体を備えることができる。また、あらゆる接続手段は、コンピュータ可読媒体と適切に呼ばれている。例えば、ソフトウェアが、ウェブサイトから、サーバから、あるいは同軸ケーブル、光ファイバケーブル、撚り対、デジタル加入者線（ＤＳＬ）、または赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、媒体の定義に含まれる。ここで使用されるようなディスク（Ｄｉｓｋ）およびディスク（Ｄｉｓｃ）は、コンパクトディスク（Ｃｏｍｐａｃｔ  Ｄｉｓｃ）（ＣＤ）、レーザーディスク（登録商標）（ｌａｓｅｒ  ｄｉｓｃ）、光学ディスク（ｏｐｔｉｃａｌ  ｄｉｓｃ）、デジタルバーサタイルディスク（Ｄｉｇｉｔａｌ  Ｖｅｒｓａｔｉｌｅ  Ｄｉｓｃ）（ＤＶＤ），フロッピ（登録商標）ディスク（ｆｌｏｐｐｙ  ｄｉｓｋ）およびブルーレイディスク（ｂｌｕ−ｒａｙ  ｄｉｓｃ）を含み、ここにおいてディスク（ｄｉｓｃ）がレーザーを用いて光学的にデータを再現するのに対し、ディスク（ｄｉｓｋ）は大抵磁気的にデータを再現する。したがって、いくつかの態様では、コンピュータ可読媒体は、非トランジトリなコンピュータ可読媒体（例えば、有体的媒体）を備えることができる。加えていくつかの態様では、コンピュータ可読媒体は、トランジトリなコンピュータ可読媒体（例えば、信号）を備えることができる。上記の組み合わせもまた、コンピュータ可読媒体の範囲内に含まれるべきである。
【０１１４】
[00119]  ハードウェアでインプリメントされた場合、実例となるハードウェア構成は、ワイヤレスノード中の処理システムを備えることができる。処理システムは、バスアーキテクチャを用いてインプリメントされうる。バスは、処理システムの特定のアプリケーションおよび全体の設計制約に依存して、任意の数の相互接続するバスおよびブリッジを含むことができる。バスは、プロセッサ、機械可読媒体、および、バスインターフェースを含む様々な回路を共にリンクさせることができる。バスインターフェースは、特に、ネットワークアダプタをバスを介して処理システムに接続するために使用されることができる。ネットワークアダプタは、ＰＨＹレイヤの信号処理機能をインプリメントするために使用されることができる。ＵＴ１２０（図１を参照）のケースでは、ユーザインターフェース（例えば、キーパッド、ディスプレイ、マウス、ジョイスティック、等）もまた、バスに接続されうる。バスはまた、タイミングソース、周辺機器、電圧レギュレータ、電力管理回路、等といった様々な他の回路をリンクさせることができ、これらは、当該技術において周知であるので、これ以上説明されない。
【０１１５】
[00120]  ハードウェアのインプリメントでは、機械可読媒体は、プロセッサとは別個の処理システムの一部であることができる。しかしながら、当業者が容易に認識することになるように、機械可読媒体またはそのいずれか一部は、処理システムの外部にあることができる。例として、機械可読媒体は、伝送回線、データによって変調されたキャリア、および／またはワイヤレスノードとは別個のコンピュータプロダクトを含み、そのすべてはバスインターフェースを通じてプロセッサによってアクセスされうる。代わりとして、もしくは加えて、機械可読媒体、もしくはそのいずれか一部は、キャッシュ、および／もしくは一般的なレジスタファイルを伴うような場合、プロセッサに一体化されうる。
【０１１６】
[00121]  処理システムは、プロセッサ機能を提供する１つまたは複数のマイクロプロセッサ、および機械可読媒体の少なくとも一部を提供する外部メモリを有し、すべてが外部バスアーキテクチャを通して他のサポート回路と共にリンクされている、汎用処理システムとして構成されうる。代わりとして、処理システムは、プロセッサ、バスインターフェース、アクセス端末のケースではユーザインターフェース、サポート回路、および単一のチップに一体化された機械可読媒体の少なくとも一部を有するＡＳＩＣ（特定用途向け集積回路）でインプリメントされうる、あるいは、１つまたは複数のＦＰＧＡ（フィールドプログラマブルゲートアレイ）、ＰＬＤ（プログラムマブル論理デバイス）、コントローラ、ステートマシン、ゲート論理、ディスクリートハードウェアコンポーネント、または、何らかの他の適した回路、あるいは本開示全体を通して説明されている様々な機能を行うことができる回路の任意の組み合わせでインプリメントされうる。当業者は、全体のシステムに課された全体の設計制限および特定のアプリケーションに依存して処理システムに関する説明された機能をどのようにインプリメントすることが最善であるかを明確に理解するだろう。
【０１１７】
[00122]  機械可読媒体は、多くのソフトウェアモジュールを備えることができる。ソフトウェアモジュールは、プロセッサによって実行されるときに、様々な機能を処理システムに行わせる命令を含む。ソフトウェアモジュールは、送信モジュールおよび受信モジュールを含むことができる。各ソフトウェアモジュールは、単一の記憶デバイスに内在しうる、または、複数の記憶デバイスにわたって分散されうる。例として、ソフトウェアモジュールは、トリガイベントが生じたときに、ハードドライブからＲＡＭにロードされうる。ソフトウェアモジュールの実行中、プロセッサは、アクセススピードを増加させるために、命令のうちのいくつかをキャッシュにロードすることができる。その後、１つまたは複数のキャッシュラインが、プロセッサによる実行のために汎用レジスタファイルにロードされうる。下記においてソフトウェアモジュールの機能を称するとき、そのような機能は、そのソフトウェアモジュールから命令が実行するときにプロセッサによってインプリメントされるということが理解されるであろう。
【０１１８】
[00123]  ここで開示された方法は、説明された方法を達成するための１つまたは複数のステップまたは動きを備える。方法のステップおよび／または動きは、本願の特許請求の範囲から逸脱せずに、互いに置き換えられうる。言い換えると、ステップまたは動きの特定の順序が指定されない限り、特定のステップおよび／または動きの順序および／または使用は、本願の特許請求の範囲から逸脱せずに変更されることができる。
【０１１９】
[00124]  説明された機能は、ハードウェア、ソフトウェア、ファームウェア、またはそれらの任意の組み合わせにおいてインプリメントされることができる。ソフトウェアにおいてインプリメントされる場合、機能は、１つまたは複数の命令として、コンピュータ可読媒体上で記憶されうる。記憶媒体は、コンピュータによってアクセスされうる何らかの利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、データ構造または命令の形態で所望のプログラムコードを搬送または記憶するために使用されることができ、かつコンピュータによってアクセスされうるあらゆる他の媒体を備えることができる。ここで使用されるようなディスク（Ｄｉｓｋ）およびディスク（Ｄｉｓｃ）は、コンパクトディスク（ＣＤ）、レーザーディスク、光学ディスク、デジタルバーサタイルディスク（ＤＶＤ）、フロッピディスク、およびブルーレイディスクを含み、ここにおいてディスク（ｄｉｓｃ）がレーザーを用いて光学的にデータを再現するのに対し、ディスク（ｄｉｓｋ）は大抵磁気的にデータを再現する。
【０１２０】
[00125]  したがって、ある特定の態様は、ここに提示された動作を行うためのコンピュータプログラム製品を備えることができる。例えば、このようなコンピュータプログラム製品は、命令を記憶（および／または符号化）されたコンピュータ可読媒体を備えることができ、命令は、ここで説明された動作を行うために１つまたは複数のプロセッサによって実行可能である。ある特定の態様では、コンピュータプログラム製品は、パッケージングマテリアルを含むことができる。
【０１２１】
[00126]  ソフトウェアまたは命令もまた、送信媒体をわたって送信されることができる。例えば、ソフトウェアが、ウェブサイトから、サーバから、あるいは同軸ケーブル、光ファイバケーブル、撚り対、デジタル加入者線（ＤＳＬ）、または赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【０１２２】
[00127]  さらに、ここで説明された方法および技法を行うためのモジュールおよび／または他の適切な手段が、ダウンロードされうる、および／または、そうでなければ、ユーザ端末および／または基地局によって、適用可能に取得されうることが認識されるべきである。例えば、このようなデバイスは、ここで説明された方法を行うための手段の転送を容易にするために、サーバに結合されることができる。代わりとして、ユーザ端末および／または基地局が、記憶手段をデバイスに結合するとき、または、記憶手段をデバイスに提供するときに、様々な方法を取得することができるように、ここで説明された様々な方法は、記憶手段（例えば、ＲＡＭ、ＲＯＭ、コンパクトディスク（ＣＤ）もしくはフロッピディスクのような物理記憶媒体等）を介して提供することができる。さらに、ここで説明された方法および技法をデバイスに提供するためのあらゆる他の適した技法が利用されることができる。
【０１２３】
[00128]  本願の特許請求の範囲が、上で例示された精密な構成およびコンポーネントに限定されないことは理解されるべきである。特許請求の範囲から逸脱することなく、上で説明された方法および装置の、配列、動作、および詳細において、様々な修正、変更、およびバリエーションが行われうる。
【０１２４】
[00129]  前述の内容は本開示の態様を対象としているけれども、本開示の他のおよびさらなる態様が、その基本的な範囲から逸脱せずに考案されることができ、その範囲は、下記の請求項によって決定される。
【図１】
2015526039.tif 000003
【図２】
2015526039.tif 000004
【図３】
2015526039.tif 000005
【図４】
2015526039.tif 000006
【図５Ａ】
2015526039.tif 000007
【図５Ｂ】
2015526039.tif 000008
【図６】
2015526039.tif 000009
【図７】
2015526039.tif 000010
【国際調査報告】
2015526039.tif 000011
2015526039.tif 000012
2015526039.tif 000013